【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
入力データから圧縮されたデータの複数の記述を生成する方法において、各記述はターゲットアプリケーションに関連付けられ、
基準量子化ステップを使用して量子化されたビットストリームを生成し、前記生成は前記入力データを係数に変換し、この係数を前記基準量子化ステップを使用して量子化することを含み、
圧縮データの第１の記述を生成するために第１の量子化ステップを使用して前記量子化されたビットストリームを再量子化し、前記第１の量子化ステップは前記基準量子化ステップの第１の必要とされるスケーリングに基づいて決定され、前記第１の必要とされるスケーリングは第１のターゲットアプリケーションに基づいて決定される方法。
【請求項２】
圧縮データの第２の記述を生成するために第２の量子化ステップを使用して前記量子化されたビットストリームを再量子化し、前記第２の量子化ステップは前記基準量子化ステップの第２の必要とされるスケーリングに基づいて決定され、前記第２の必要とされるスケーリングは第２のターゲットアプリケーションに基づいて決定される請求項１に記載の方法。
【請求項３】
前記量子化されたビットストリームを生成することは、
前記基準量子化ステップとして、アーカイバル圧縮ビットストリームを生成するための量子化ステップを使用することを備える、請求項１に記載の方法。
【請求項４】
入力データから圧縮されたデータの複数の記述を生成する装置において、各記述はターゲットアプリケーションに関連付けられ、
基準量子化ステップを使用して量子化されたビットストリームを生成するための手段と、前記量子化されたビットストリームは前記入力データを係数に変換し、この係数を前記基準量子化ステップを使用して量子化することにより生成され、
圧縮データの第１の記述を生成するために第１の量子化ステップを使用して前記量子化されたビットストリームを再量子化するための手段とを具備し、前記第１の量子化ステップは前記基準量子化ステップの第１の必要とされるスケーリングに基づいて決定され、前記第１の必要とされるスケーリングは第１のターゲットアプリケーションに基づいて決定される装置。
【請求項５】
圧縮データの第２の記述を生成するために第２の量子化ステップを使用して前記量子化されたビットストリームを再量子化するための手段をさらに具備し、前記第２の量子化ステップは前記基準量子化ステップの第２の必要とされるスケーリングに基づいて決定され、前記第２の必要とされるスケーリングは第２のターゲットアプリケーションに基づいて決定される請求項４に記載の装置。
【請求項６】
前記量子化されたビットストリームを生成するための手段は、
前記基準量子化ステップとして、アーカイバル圧縮ビットストリームを生成するための量子化ステップを使用するための手段を備える、請求項４に記載の装置。
【請求項７】
入力データから圧縮されたデータの複数の記述を生成する方法において、各記述はターゲットアプリケーションに関連付けられ、
入力データから変換係数を生成するように構成される変換モジュールと、
前記変換モジュールに結合され、基準量子化ステップを使用して前記変換係数を量子化し、圧縮データの複数の記述を生成するために異なる量子化ステップを使用して前記量子化された変換係数を再量子化するように構成される量子化モジュールとを具備し、前記異なる量子化ステップのそれぞれは、前記基準量子化ステップの必要とされるスケーリングに基づいて決定され、前記必要とされるスケーリングは所望のターゲットアプリケーションに基づいて決定される装置。
【請求項８】
前記量子化モジュールは、
前記基準量子化ステップを使用して前記変換係数を量子化するように構成される第１の量子化モジュールと、
前記異なる量子化ステップを使用して前記量子化された変換係数を再量子化するように構成される第２の量子化モジュールと、
を備える、請求項７に記載の装置。
【請求項９】
基準量子化ステップを使用して生成された量子化ビットストリームにアクセスし、前記量子化されたビットストリームは、前記入力データを係数に変換し、この係数を前記基準量子化ステップを使用して量子化することにより生成され、
第１のターゲットアプリケーションに関連付けられた圧縮データの第１の記述を生成するために第１の量子化ステップを使用して前記量子化されたビットストリームを再量子化し、前記第１の量子化ステップは前記基準量子化ステップの第１の必要とされるスケーリングに基づいて決定され、前記第１の必要とされるスケーリングは第１のターゲットアプリケーションに基づいて決定される方法。
【請求項１０】
第２のターゲットアプリケーションに関連付けられた圧縮データの第２の記述を生成するために第２の量子化ステップを使用して前記量子化されたビットストリームを再量子化することをさらに含み、前記第２の量子化ステップは前記基準量子化ステップの第２の必要とされるスケーリングに基づいて決定され、前記第２の必要とされるスケーリングは第２のターゲットアプリケーションに基づいて決定される請求項９に記載の方法。
【請求項１１】
入力データから圧縮データを生成する装置において、
基準量子化ステップを使用して生成された量子化ビットストリームにアクセスするための手段と、前記量子化されたビットストリームは前記入力データを係数に変換し、この係数を前記基準量子化ステップを使用して量子化し、
第１のターゲットアプリケーションに関連付けられた圧縮データの第１の記述を生成するために第１の量子化ステップを使用して前記量子化されたビットストリームを再量子化するための手段とを具備し、前記第１の量子化ステップは前記基準量子化ステップの第１の必要とされるスケーリングに基づいて決定され、前記第１の必要とされるスケーリングは第１のターゲットアプリケーションに基づいて決定される装置。
【請求項１２】
第２のターゲットアプリケーションに関連付けられた圧縮データの第２の記述を生成するために第２の量子化ステップを使用して前記量子化されたビットストリームを再量子化するための手段をさらに具備し、前記第２の量子化ステップは前記基準量子化ステップの第２の必要とされるスケーリングに基づいて決定され、前記第２の必要とされるスケーリングは第２のターゲットアプリケーションに基づいて決定される請求項１１に記載の装置。
【請求項１３】
入力データから圧縮データを生成する装置において、
基準量子化ステップを使用して生成された量子化ビットストリームを記憶するように構成される記憶媒体と、前記量子化されたビットストリームは、前記入力データを係数に変換し、この係数を前記基準量子化ステップを使用して量子化することにより生成され、
前記記憶媒体に結合され、異なるターゲットアプリケーションに関連付けられた圧縮データの複数の記述を生成するために異なる量子化ステップを使用して前記量子化されたビットストリームを再量子化するように構成される量子化モジュールとを具備し、前記異なる量子化ステップのそれぞれは前記基準量子化ステップの必要とされるスケーリングに基づいて決定され、前記必要とされるスケーリングは所望のターゲットアプリケーションに基づいて決定される装置。
【請求項１４】
前記記憶媒体は、前記圧縮ビットストリームとしてアーカイバル圧縮ビットストリームを記憶するように構成される、請求項１３に記載の装置。
【請求項１５】
入力データから圧縮されたデータの複数の記述を生成する方法において、各記述はターゲットアプリケーションに関連付けられ、
基準量子化ステップを使用して量子化されたビットストリームを生成し、前記生成は前記入力データを係数に変換し、この係数を前記基準量子化ステップを使用して量子化することを含み、
前記量子化されたビットストリームを符号化し、
前記符号化された量子化ビットストリームを復号し、
第１のターゲットアプリケーションに関連付けられた圧縮データの第１の記述を生成するために第１の量子化ステップを使用して前記復号された量子化ビットストリームを再量子化し、前記第１の量子化ステップは、前記基準量子化ステップの第１の必要とされるスケーリングに基づき決定され、前記第１の必要とされるスケーリングは前記第１のターゲットアプリケーションに基づいて決定される方法。
【請求項１６】
第２のターゲットアプリケーションに関連付けられた圧縮データの第２の記述を生成するために第２の量子化ステップを使用して前記復号された量子化ビットストリームを再量子化し、前記第２の量子化ステップは前記基準量子化ステップの第２の必要とされるスケーリングに基づいて決定され、前記第２の必要とされるスケーリングは前記第２のターゲットアプリケーションに基づいて決定される請求項１５に記載の方法。
【請求項１７】
前記量子化されたビットストリームを生成することは、
前記基準量子化ステップとして、アーカイバル圧縮ビットストリームを生成するための量子化ステップを使用することを備える、請求項１５に記載の方法。
【請求項１８】
入力データから圧縮されたデータの複数の記述を生成する装置において、各記述はターゲットアプリケーションに関連付けられ、
基準量子化ステップを使用して量子化されたビットストリームを生成するための手段と、前記量子化されたビットストリームは前記入力データを係数に変換し、この係数を前記基準量子化ステップを使用して量子化することにより生成され、
前記量子化されたビットストリームを符号化するための手段と、
前記符号化された量子化済みビットストリームを復号するための手段と、
第１のターゲットアプリケーションに関連付けられた圧縮データの第１の記述を生成するために第１の量子化ステップを使用して前記復号された量子化済みビットストリームを再量子化するための手段とを具備し、前記第１の量子化ステップは前記基準量子化ステップの第１の必要とされるスケーリングに基づいて決定され、前記第１の必要とされるスケーリングは第１のターゲットアプリケーションに基づいて決定される装置。
【請求項１９】
第２のターゲットアプリケーションに関連付けられた圧縮データの第２の記述を生成するために第２の量子化ステップを使用して前記復号された量子化済みビットストリームを再量子化するための手段をさらに具備し、前記第２の量子化ステップは前記基準量子化ステップの第２の必要とされるスケーリングに基づいて決定され、前記第２の必要とされるスケーリングは第２のターゲットアプリケーションに基づいて決定される請求項１８に記載の装置。
【請求項２０】
入力データから圧縮されたデータの複数の記述を生成する装置において、各記述はターゲットアプリケーションに関連付けられ、
前記入力データを係数に変換するように構成される変換モジュールと、
基準量子化ステップを使用して量子化されたビットストリームを生成するように構成される量子化モジュールと、前記量子化モジュールは前記基準量子化ステップを使用して前記係数を量子化し、
前記量子化モジュールに結合され、前記量子化されたビットストリームを符号化するように構成される符号化モジュールと、
前記符号化された量子化済みビットストリームを復号するように構成される復号モジュールと、
を備え、
前記量子化モジュールは圧縮データの複数の記述を生成するために異なる量子化ステップを使用して前記復号された量子化済みビットストリームを再量子化するように構成され、前記量子化ステップのそれぞれは前記基準量子化ステップの必要とされるスケーリングに基づいて決定され、前記必要とされるスケーリングは所望のターゲットアプリケーションに基づいて決定される装置。
【請求項２１】
前記量子化モジュールは、
前記基準量子化ステップを使用して前記量子化されたビットストリームを生成するように構成される第１の量子化モジュールと、
圧縮データの前記複数の記述を生成するために前記異なる量子化ステップを使用して前記復号された量子化ビットストリームを再量子化するように構成される第２の量子化モジュールと、
を備える、請求項２０に記載の装置。
【請求項２２】
符号化された量子化ビットストリームに基づいて入力データから圧縮データを生成するための方法において、
基準量子化ステップを使用して量子化により生成される圧縮ビットストリームにアクセスし、前記符号化された量子化ビットストリームは前記入力データを係数に変換し、この係数を前記基準量子化ステップを使用して量子化することにより生成され、
復号された量子化ビットストリームを生成するために圧縮ビットストリームを復号することと、
第１のターゲットアプリケーションに関連付けられた圧縮データの第１の記述を生成するために第１の量子化ステップを使用して前記復号された量子化済みビットストリームを再量子化し、前記第１の量子化ステップは前記基準量子化ステップの第１の必要とされるスケーリングに基づいて決定され、前記第１の必要とされるスケーリングは第１のターゲットアプリケーションに基づいて決定される方法。
【請求項２３】
第２のターゲットアプリケーションに関連付けられた圧縮データの第２の記述を生成するために第２の量子化ステップを使用して前記復号された量子化ビットストリームを再量子化することをさに含み、前記第２の量子化ステップは前記基準量子化ステップの第２の必要とされるスケーリングに基づいて決定され、前記第２の必要とされるスケーリングは第２のターゲットアプリケーションに基づいて決定される請求項２２に記載の方法。
【請求項２４】
前記圧縮ビットストリームにアクセスすることは、
前記基準量子化ステップとして、アーカイバル圧縮ビットストリームを生成するための量子化ステップを使用して生成されたアーカイバル圧縮ビットストリームにアクセスすることを備える請求項２２に記載の方法。
【請求項２５】
符号化され量子化済みのビットストリームに基づいて、入力データから圧縮されたデータを生成する装置において、
基準量子化ステップを使用する量子化により生成された圧縮され量子化済みのビットストリームにアクセスするための手段と、前記圧縮され量子化済みのビットストリームは前記入力データを係数に変換し、この係数を前記基準量子化ステップを使用して量子化することにより生成され、
復号された量子化済みビットストリームを生成するために圧縮され量子化済みのビットストリームを復号するための手段と、
第１のターゲットアプリケーションに関連付けられた圧縮データの第１の記述を生成するために第１の量子化ステップを使用して前記復号された量子化済みビットストリームを再量子化するための手段と、前記第１の量子化ステップは前記基準量子化ステップの第１の必要とされるスケーリングに基づいて決定され、前記第１の必要とされるスケーリングは前記第１のターゲットアプリケーションに基づいて決定される装置。
【請求項２６】
第２のターゲットアプリケーションに関連付けられた圧縮データの第２の記述を生成するために第２の量子化ステップを使用して前記復号された量子化ビットストリームを再量子化するための手段をさらに具備し、前記第２の量子化ステップは前記基準量子化ステップの第２の必要とされるスケーリングに基づいて決定され、前記第２の必要とされるスケーリングは前記第２のターゲットアプリケーションに基づいて決定される請求項２５に記載の装置。
【請求項２７】
符号化された量子化済みビットストリームに基づいて入力データから圧縮データの複数の記述を生成するための装置において、各記述はターゲットアプリケーションに関連付けられ、
基準量子化ステップを使用して量子化により生成される圧縮され量子化済みのビットストリームを記憶するように構成される記憶媒体と、前記圧縮され量子化済みのビットストリームは、前記入力データを係数に変換し、この係数を前記基準量子化ステップを使用して量子化することにより生成され、
前記圧縮ビットストリームを復号するように構成される復号モジュールと、
圧縮データの複数の記述を生成するために異なる量子化ステップを使用して前記復号された圧縮ビットストリームを再量子化するように構成される量子化モジュールを具備し、前記量子化ステップのそれぞれは前記基準量子化ステップの必要とされるスケーリングに基づいて決定され、前記必要とされるスケーリングは所望のターゲットアプリケーションに基づいて決定される装置。
【請求項２８】
前記記憶媒体は、前記圧縮ビットストリームとしてアーカイバル圧縮ビットストリームを記憶するように構成される、請求項２７に記載の装置。